(57)【要約】【課題】手工業的な生産に適した熱転写方法を提供することである。【解決手段】昇華型転写シートを使用してシャツ３２に模様を熱転写する熱転写方法である。その際、昇華型転写シートを転写する模様毎に切り抜く。つぎに、昇華型転写シートから切り抜いた部分２２をシャツ３２の転写個所に重ねて配置して加熱し、前記切り抜いた部分２２の模様をシャツ３２に転写する。さらに、切り抜いた部分（前記切り抜いた部分２２に相当する。）を複数形成し、前記切り抜いた部分の模様を被転写物に転写した後に、さらに、前記切り抜いた他の部分の模様を前記転写した模様の一部分に重ねて転写する。さらに、加熱時間および加熱温度の調節により、前記切抜いた部分の模様の転写時に加える転写用熱量を調節する。【選択図】　　　　図５
2004068209.tif 000002
【特許請求の範囲】
【請求項１】
転写シートを使用して被転写物に模様を転写する熱転写方法であって、
前記転写シートを転写する模様毎に切り抜く第１工程と、
前記転写シートから切り抜いた部分を前記被転写物の転写個所に重ねて配置して加熱し、前記転写シートから切り抜いた部分の模様を前記被転写物に転写する第２工程とを備えることを特徴とする熱転写方法。
【請求項２】
請求項１に記載された熱転写方法であって、
前記転写シートから切り抜いた部分を複数形成し、
前記転写シートから切り抜いた部分の模様を前記被転写物に転写した後に、さらに、前記転写シートから切り抜いた他の部分の模様を前記転写した模様の一部分に重ねて転写することを特徴とする熱転写方法。
【請求項３】
請求項１又は２に記載された熱転写方法であって、
前記転写シートが昇華型転写シートであり、前記昇華型転写シートから切り抜いた部分の模様の転写時に加える転写用熱量を調節することを特徴とする熱転写方法。
【請求項４】
請求項３に記載された熱転写方法であって、
前記転写用熱量の調節を前記昇華型転写シートから切り抜いた部分の加熱時間を調節することにより行うことを特徴とする熱転写方法。
【請求項５】
請求項３に記載された熱転写方法であって、
前記転写用熱量の調節を前記昇華型転写シートから切り抜いた部分の加熱温度を調節することにより行うことを特徴とする熱転写方法。
【発明の詳細な説明】
【０００１】
【発明の属する技術分野】
本発明は、昇華型等の転写シートを使用した熱転写方法に関し、特に、衣服等に手工業的に模様を転写するのに適した熱転写方法に関するものである。
【０００２】
【従来の技術】
従来の転写シートを使用した熱転写方法は、生地等に模様を転写することを機械式に行うものであり、大量生産に適しているものであった。このため、大量のポリエステル生地に模様を転写すること等が行われていた。
【０００３】
【発明が解決しようとする課題】
しかし、上記従来の転写シートを使用した熱転写方法は、大量生産される生地等に模様を転写する場合には適しているが、少量の手工業的な模様の転写には適さず、特に、少量生産の多種類の衣服等に模様を転写することには適していなかった。
そこで、本発明が解決しようとする課題は、転写シートを使用して衣服等に手工業的に模様を転写するのに適した熱転写方法を提供することである。
【０００４】
【課題を解決するための手段】
上記課題を解決するため、請求項１に記載された発明は、転写シート（転写紙を含む。）を使用して被転写物（例えば、シャツ等の衣服、ビニールシート、ボタン等）に模様（文字、図形等を含む。）を転写する熱転写方法であって、転写シートを転写する模様毎に切り抜く第１工程と、前記転写シートから切り抜いた部分を前記被転写物の転写個所に重ねて配置して加熱し、前記転写シートから切り抜いた部分の模様を前記被転写物に転写する第２工程とを備えることを特徴とする熱転写方法である。
これにより、転写シートから転写する模様を切り抜き、この切り抜いた部分を被転写物の転写個所に重ねて配置して加熱することにより、転写シートに描かれた模様を形成するインキが熱により転写シートから離れて（昇華等により離れる場合を含む。）被転写物に付着するので、転写シートの模様を被転写物に熱転写することができる。
【０００５】
さらに、請求項２に記載された発明は、請求項１に記載された発明において、前記転写シートから切り抜いた部分を複数形成し、前記転写シートから切り抜いた部分の模様を前記被転写物に転写した後に、さらに、前記転写シートから切り抜いた他の部分の模様を前記転写した模様の一部分に重ねて転写することである。
これにより、転写シートから切り抜いた複数の部分の模様を被転写物に転写する際に、先に転写した模様の一部分に重ねて他の模様を転写すると、転写された模様の奥行き、深み、色彩の幅を広げることが容易になる。
【０００６】
さらに、請求項３に記載された発明は、請求項１又は２に記載された発明において、前記転写シートが昇華型転写シートであり、前記昇華型転写シートから切り抜いた部分の模様の転写時に加える転写用熱量を調節することである。
これにより、前記昇華型転写シートから切り抜いた部分の模様の転写時に加える転写用熱量を調節すると、転写時に前記昇華型転写シートから昇華して離れる模様のインキの量を調節することができるので、前記被転写物に付着する模様のインキの量を調節することができ、被転写物に転写された模様に濃淡をつけることができる。
【０００７】
さらに、請求項４に記載された発明は、請求項３に記載された発明において、前記転写用熱量の調節を前記昇華型転写シートから切り抜いた部分の加熱時間を調節することにより行うことである。
これにより、転写時の加熱時間の調節により、容易に転写用熱量を調節することができる。
【０００８】
さらに、請求項５に記載された発明は、請求項３に記載された発明において、前記転写用熱量の調節を前記昇華型転写シートから切り抜いた部分の加熱温度を調節することにより行うことである。
これにより、転写時の加熱温度の調節により、容易に転写用熱量を調節することができる。
【０００９】
【発明の実施の形態】
以下、本発明における実施の形態を図面に基づいて説明する。図１から図３までは、本発明の実施の形態に係わる熱転写方法の一例を説明している。図１は、本発明の実施の形態に係わる熱転写方法に使用する昇華型転写シートを示している。図１において、昇華型転写シート１０は、地の部分１１に羽の模様１２、１３、羽の模様１２、１３の影の部分１２ａ、１３ａ、マリモの模様１４、１５等を描いたものである。なお、昇華型転写シート１０については、その模様がベースシート側から透けて見えた状態が示されている。後述する他の転写シートについても同様である。
なお、昇華型転写シート１０は、その模様を構成するインキが加熱により昇華するものであるので、このインキが加熱により昇華して気体となって衣服等の被転写物に付着することにより、昇華型転写シート１０の模様が衣服等の被転写物に転写される。
【００１０】
図２は、昇華型転写シート１０から切り抜いた部分の第１の例を示す。この場合の切り抜く工程は、請求項１における「第１工程」に相当する。図２において、羽の形の切り抜いた部分２１が示されている。切り抜いた部分２１は、羽の模様１２およびその周りの影の部分１２ａを含んでいる。
図３は、図２の切り抜いた部分２１の模様をシャツに熱転写した状態を示す。図３において　切り抜いた部分２１をシャツ３１の転写個所（例えば襟部３１ａと胴部３１ｂとの中間の位置）に重ねて配置して加熱し、切り抜いた部分２１の模様をシャツ３１に転写する。なお、この転写工程は、請求項１における「第２工程」に相当し、シャツ３１は請求項における「被転写物」に相当する。
【００１１】
図４は、図１の昇華型転写シート１０から切り抜いた部分の第２の例を示す。図４において、ハート形の切り抜いた部分２２は、羽の模様１２および羽の模様１２の影の部分１２ａの一部分を含んでいる。
図５は、図４の切り抜いた部分２２をシャツに転写した状態を示す。図５において、ハート形の切り抜いた部分２２を複数（例えば２）形成し、切り抜いた部分２２のそれぞれの模様をシャツ３２の胴部３２ｂの複数（例えば２）の個所に転写する。なお、３２ａはシャツ３２の襟部である。
【００１２】
図６は、図１とは別の単色（例えば赤、黄等）の昇華型転写シートを短冊形に切った場合を示す。図６において、昇華型転写シートを短冊形に切り抜いた複数の部分２３が示されている。
図７は、図６の短冊形の切り抜いた部分２３をシャツ３３に熱転写した状態を示す。横に並べた複数の短冊形の切り抜いた部分２３が襟部３３ａに近い部分に熱転写されている。さらに、チェック（格子縞）の形の模様がシャツ３３の胴部３３ｂに熱転写されている。チェックの形に転写するときは、例えば、先ず縦に並べた複数の短冊形の切り抜いた部分２３の熱転写をしてから、横に並べた複数の短冊形の切り抜いた部分２３の熱転写をする。この場合、縦に並べた複数の短冊形の切り抜いた部分２３の熱転写された模様と横に並べた複数の短冊形の切り抜いた部分２３の熱転写された模様の交わった部分の色が濃くなってきれいなチェック模様になる。
【００１３】
図８は、昇華型転写シート１０ａ（昇華型転写シート１０と同様のもの）を使用して衣類等の被転写物に模様を転写する方法を示している。図８において、アイロンマット４３の上に新聞紙４４を敷き、新聞紙４４の上にシャツ３４を重ねる。新聞紙４４は、マットを汚すことを防ぐためのものである。そして、昇華型転写シート１０ａをシャツ３４の上に重ねる。その後、アイロン４０にて昇華型転写シート１０ａを加熱する。その際、二点鎖線で示すように、アイロン４０の先端部４１から後端部４２まで均一に手で加圧しつつ、アイロン４０を矢印４６の方向および矢印４７の方向に移動させる。
【００１４】
これにより、シャツ３４に昇華型転写シート１０ａの模様を熱転写方法することができる。その際、転写時に加える転写用熱量を調節すると、転写時に昇華型転写シート１０ａから昇華して離れる模様のインキの量を調節することができるので、シャツ３４に付着する模様のインキの量を調節することができ、シャツ３４に転写された模様に濃淡をつけることができる。そして、前記転写用熱量を多くすると、転写された模様が濃くなり、前記転写用熱量を少なくすると、転写された模様が淡くなる。なお、前記転写用熱量の調節は、アイロン４０の温度（加熱温度）の調節またはアイロン４０による昇華型転写シート１０ａの加熱時間の調節により行うことができる。
【００１５】
（アイロン４０のかけかた）
アイロン４０が例えば１分できれいな転写ができるものであれば、３０秒づつだぶらせてかける。横に移動するときも、アイロン４０の先端部４１が細くなっているので、だぶらせてアイロン４０をかける。約１６０℃の熱を昇華型転写シート１０ａに加えると、昇華型転写シート１０ａの模様を構成するインキが蒸発して、シャツ３４の繊維に染み込んで、染色する。このため、昇華型転写シート１０ａの模様がシャツ３４に転写される。なお、アイロン４０による加熱は、１８０℃まで可能である。また、この場合、昇華型転写シート１０ａのインキに糊が使用されていないので、転写したシャツ３４に糊が付着しないため、転写したシャツ３４が伸びちじみする際の妨げにならない。その際、一定以上の熱を昇華型転写シート１０ａに加えると、転写された模様の濃度は一定になる。この一定の熱よりも不足すると、転写された模様が淡い色になる。
【００１６】
（淡い転写の方法）
ａ．アイロン４０を当てる時間を短くする。
ｂ．アイロン４０の温度を下げる。
ｃ．１〜２回使った昇華型転写シート１０ａを使う。淡い転写をした昇華型転写シート１０ａは、模様のインキが残っていて何回も使えることが多い。
【００１７】
（転写の色の濃淡技法）
模様を重ねる時に全ての模様がくっきり写っていると、うるさい感じになるときがある。一部を強く、一部を弱く転写すると、奥行きがでて、うるささを和らげることができる。
【００１８】
（転写模様重ね技法）
一度模様を転写をして、さらにもう一度その上から転写を重ねると、機械的でなく手作業で行うことによる価値が出る場合が多い。すなわち、模様の奥行き、深み、色彩の幅を広げた表現ができ、さらに、転写の失敗を簡単に、作品のランクを上げながら隠すことができる。
【００１９】
なお、薄いポリエステル生地の製品、ポリエステル糸による編地製品に転写する場合は、アイロンマット４３を省くことができないが、厚い生地、編地に転写する場合は、アイロンマット４３は不要である。
Ｔシャツなどの縫い目、編み地などのとじた個所などの段差のある個所の低い部分（薄い部分）の転写が淡くなることを防ぐために、アイロン４０に手で上から圧力を加える。
【００２０】
以上により、ポリエステル生地用転写プリントによる大量生産方式でのみ行われていたプリント方法をファッション業界における生産方式に合うように、手工業的生産に適したものにすることができる。
この場合、機械ではなく、人の手による独自の製法であり、これにより、生地のみではなく、完成されている無地の衣類にも転写ができ、かつ、機械ではなし得なかった細かい模様の組み合わせ、微妙な転写の濃淡による模様の重ねを可能にした。
【００２１】
なお、上記実施の形態において、転写シートからシャツに模様が転写されているが、これに限らず、衣服の生地、衣服、衣類に合わせたプラスチックボタン、ビニールシート等にも転写可能である。
また、転写シートをハート形に切ってい使用する例が示されているが、これに限定されず、転写シートを適当に手で破いたり、模様を無視して切ることができる。例えば、水玉、イニシャル、三角形、四角形、不定形等に転写シートを切ることもできる。
また、昇華型転写シートが使用されているが、これに限定されず、糊接着タイプの転写シートを使用することもできる。
【００２２】
【発明の効果】
本願の請求項１に記載された発明によれば、転写シートから転写する模様を切り抜き、この切り抜いた部分を被転写物の転写個所に熱転写することができる。このため、各種の模様を手工業的に容易に熱転写することができる。
さらに、請求項２に記載された発明は、上記請求項１に記載された発明の効果とともに、転写された模様の奥行き、深み、色彩の幅を広げることが容易になるので、転写された模様に変化を持たせることが容易になる。
さらに、請求項３に記載された発明は、上記請求項１または２に記載された発明の効果とともに、前記被転写物に付着する模様のインキの量を調節することができ、転写された模様に濃淡をつけることができる。
さらに、請求項４に記載された発明は、上記請求項３に記載された発明の効果とともに、転写時の加熱時間の調節により、容易に転写された模様に濃淡をつけることができる。
さらに、請求項５に記載された発明は、上記請求項３に記載された発明の効果とともに、転写時の加熱温度の調節により、容易に転写された模様に濃淡をつけることができる。
【図面の簡単な説明】
【図１】本発明の実施の形態に使用する昇華型転写シートの例を示す図である。
【図２】図１の昇華型転写シートを切り抜いた部分の第１の例を示す図である。
【図３】図２の切り抜いた部分をシャツに転写した状態を示す図である。
【図４】図１の昇華型転写シートから切り抜いた部分の第２の例を示す図である。
【図５】図４の切り抜いた部分をシャツに転写した状態を示す図である。
【図６】他の昇華型転写シートから切り抜いた部分を示す図である。
【図７】図６の切り抜いた部分をシャツに転写した状態を示す図である。
【図８】転写シートの模様を被転写物に転写する方法を示す図である。
【符号の説明】
１０、１０ａ　昇華型転写シート
２１　羽の形の切り抜いた部分
２２　ハート形の切り抜いた部分
２３　短冊形の切り抜いた部分
２４　チェック模様
３１、３２、３３、３４　シャツ
４０　アイロン
【図１】
2004068209.tif 000003
【図２】
2004068209.tif 000004
【図３】
2004068209.tif 000005
【図４】
2004068209.tif 000006
【図５】
2004068209.tif 000007
【図６】
2004068209.tif 000008
【図７】
2004068209.tif 000009
【図８】
2004068209.tif 000010